(57)【要約】      （修正有）【課題】印加される電圧に偏差が発生しない蛍光ランプを含むバックライトアセンブリ及びそれを備える表示装置を提供する。【解決手段】内部に蛍光層１７０と放電ガスを含むランプチューブ１１０と、該ランプチューブ１１０の内部に配置される第１電極１２０と、該第１電極１２０と容量結合する導電端子１６０とを含む複数の蛍光ランプと、前記複数の蛍光ランプを固定するランプソケットとを有する。【選択図】図２
2010062148.tif 000002
【特許請求の範囲】
【請求項１】
内部に蛍光層と放電ガスを含むランプチューブと、該ランプチューブの内部に配置される第１電極と、該第１電極と容量結合する導電端子とを含む複数の蛍光ランプと、
前記複数の蛍光ランプを固定するランプソケットとを有することを特徴とするバックライトアセンブリ。
【請求項２】
前記第１電極と接続され前記ランプチューブの端部を取り囲む第２電極をさらに含み、
前記第２電極と前記導電端子は、互いに容量結合することを特徴とする請求項１に記載のバックライトアセンブリ。
【請求項３】
前記第２電極と前記導電端子との間にキャパシタをさらに含むことを特徴とする請求項２に記載のバックライトアセンブリ。
【請求項４】
前記導電端子と前記第２電極との間に絶縁体をさらに含むことを特徴とする請求項２に記載のバックライトアセンブリ。
【請求項５】
前記導電端子は、前記絶縁体を取り囲むことを特徴とする請求項４に記載のバックライトアセンブリ。
【請求項６】
前記第２電極と前記導電端子との間にキャパシタをさらに含むことを特徴とする請求項５に記載のバックライトアセンブリ。
【請求項７】
前記導電端子は、前記ランプチューブの端部を取り囲むことを特徴とする請求項１に記載のバックライトアセンブリ。
【請求項８】
前記第１電極と導電端子との間にキャパシタをさらに含むことを特徴とする請求項７に記載のバックライトアセンブリ。
【請求項９】
画像を表示する表示パネルと、
内部に蛍光層と放電ガスを含むランプチューブと、該ランプチューブの内部に配置される第１電極と、該第１電極と容量結合する導電端子とを含み前記表示パネルに光を提供する複数の蛍光ランプと、
前記複数の蛍光ランプを固定するランプソケットとを有することを特徴とする表示装置。
【請求項１０】
前記第１電極と接続され前記ランプチューブの端部を取り囲む第２電極をさらに含み、
前記第２電極と前記導電端子は、互いに容量結合することを特徴とする請求項９に記載の表示装置。
【発明の詳細な説明】
【技術分野】
【０００１】
本発明は、バックライトアセンブリ及びこれを備える表示装置に関し、より詳細には印加される電圧に偏差が発生しない蛍光ランプを含むバックライトアセンブリ及びこれを備える表示装置に関するものである。
【背景技術】
【０００２】
液晶表示装置（Ｌｉｑｕｉｄ  Ｃｒｙｓｔａｌ  Ｄｉｓｐｌａｙ）は、現在最も広く使われているフラットパネル表示装置（Ｆｌａｔ  Ｐａｎｅｌ  Ｄｉｓｐｌａｙ）のうちの一つであって、電極が形成されている２枚の基板とその間に挿入されている液晶層から成り、電極に電圧を印加して液晶層の液晶分子を再配列させることによって透過する光の量を調節する表示装置である。
【０００３】
液晶表示装置は、電力消費が少ないため幅広く使われているが、それ自体には発光能力がなく、光を照射するための別途の光源が要求され、このような光源としては蛍光ランプ（Ｆｌｕｏｒｅｓｃｅｎｔ  Ｌａｍｐ）が利用されている。
【０００４】
蛍光ランプは、液晶層を通過する光を提供するバックライトアセンブリに含まれて構成されるが、バックライトアセンブリは蛍光ランプだけではなく、多様な光学シート及びこれらを収納する収納容器を含む。
【０００５】
また、このような液晶表示装置は、バックライトアセンブリに搭載される蛍光ランプの位置によって直下型とエッジ型に区分されるが、直下型表示装置の場合、複数個の蛍光ランプに印加される電圧に偏差が発生しないようにバランスボードを使用している。
バランスボードは、トランスコイルを利用する方式とキャパシタを利用する方式で区分される。
【０００６】
このようなバランスボードは、コイル又はキャパシタを含む別途のボード形態で製作されることによって組み立て工程が増えるだけではなく、製品の体積が大きくなるという問題があった。
例えば、各蛍光ランプに直列に接続された複数のキャパシタを含むバランスボードをバックライトアセンブリの背面に配置することにより、表示装置の全体的な厚さが増加する。したがって、表示装置の全体的な厚さを減少させながら、蛍光ランプに印加される電圧の偏差を除去できる構造が必要となっているという問題がある。
【先行技術文献】
【特許文献】
【０００７】
【特許文献１】韓国特許出願公開第２００６−１３１２４２号明細書
【発明の概要】
【発明が解決しようとする課題】
【０００８】
そこで、本発明は上記従来のバックライトアセンブリにおける問題点に鑑みてなされたものであって、本発明の目的は、印加される電圧に偏差が発生しない蛍光ランプを含むバックライトアセンブリを提供することにある。
また、本発明の他の目的は、印加される電圧に偏差が発生しない蛍光ランプを表示装置を提供することにある。
【課題を解決するための手段】
【０００９】
上記目的を達成するためになされた本発明によるバックライトアセンブリは、内部に蛍光層と放電ガスを含むランプチューブと、該ランプチューブの内部に配置される第１電極と、該第１電極と容量結合する導電端子とを含む複数の蛍光ランプと、前記複数の蛍光ランプを固定するランプソケットとを有することを特徴とする。
【００１０】
前記第１電極と接続され前記ランプチューブの端部を取り囲む第２電極をさらに含み、前記第２電極と前記導電端子は、互いに容量結合することが好ましい。
前記第２電極と前記導電端子との間にキャパシタをさらに含むことが好ましい。
前記導電端子と前記第２電極との間に絶縁体をさらに含むことが好ましい。
前記導電端子は、前記絶縁体を取り囲むことが好ましい。
前記第２電極と前記導電端子との間にキャパシタをさらに含むことが好ましい。
前記導電端子は、前記ランプチューブの端部を取り囲むことが好ましい。
前記第１電極と導電端子との間にキャパシタをさらに含むことが好ましい。
【００１１】
上記目的を達成するためになされた本発明による表示装置は、画像を表示する表示パネルと、内部に蛍光層と放電ガスを含むランプチューブと、該ランプチューブの内部に配置される第１電極と、該第１電極と容量結合する導電端子とを含み前記表示パネルに光を提供する複数の蛍光ランプと、前記複数の蛍光ランプを固定するランプソケットとを有することを特徴とする。
【発明の効果】
【００１２】
本発明に係るバックライトアセンブリ及びこれを備える表示装置によれば、印加される電圧に偏差が発生しない蛍光ランプを利用することによって優秀な表示品質を得ることができるという効果がある。
【図面の簡単な説明】
【００１３】
【図１】本発明のバックライトアセンブリの第１の実施形態による蛍光ランプの部分斜視図である。
【図２】図１に示す蛍光ランプをＩＩ−ＩＩ’線に沿って切断した断面図である。
【図３】図１に示す蛍光ランプとランプソケットの斜視図である。
【図４】図１に示す蛍光ランプと電源部の接続関係を説明するための概略回路図である。
【図５】本発明のバックライトアセンブリの第２の実施形態による蛍光ランプの部分斜視図である。
【図６】図５に示す蛍光ランプをＶＩ−ＶＩ’線に沿って切断した断面図である。
【図７】図５に示す蛍光ランプとランプソケットの部分斜視図である。
【図８】本発明のバックライトアセンブリの第３の実施形態による蛍光ランプとランプソケットの部分斜視図である。
【図９】図８に示す蛍光ランプとランプソケットをＩＸ−ＩＸ’線に沿って切断した断面図である。
【図１０】図８に示す蛍光ランプとランプソケットをＸ−Ｘ’線に沿って切断した断面図である。
【図１１】本発明のバックライトアセンブリの第４の実施形態による蛍光ランプとランプソケットの部分斜視図である。
【図１２】図１１に示す蛍光ランプをＸＩＩ−ＸＩＩ’線に沿って切断した断面図である。
【図１３】図１１に示す蛍光ランプに含まれる印刷回路基板の平面図である。
【図１４】図１１に示す蛍光ランプと整列板の部分斜視図である。
【図１５】本発明のバックライトアセンブリの第５の実施形態による蛍光ランプの断面図である。
【図１６】本発明の一実施形態による表示装置の分解斜視図である。
【発明を実施するための形態】
【００１４】
次に、本発明に係るバックライトアセンブリ及びこれを備える表示装置を実施するための形態の具体例を図面を参照しながら説明する。
【００１５】
本発明の利点、特徴、およびそれらを達成する方法は、添付する図面と共に詳細に後述される実施形態を参照すれば明確になるであろう。しかし、本発明は、以下で開示される実施形態に限定されるものではなく、互いに異なる多様な形態で具現されることが可能である。本実施形態は、単に本発明の開示が完全になるように、本発明が属する技術分野で通常の知識を有する者に対して発明の範疇を完全に知らせるために提供されるものであり、本発明は、請求項の範疇によってのみ定義される。なお、明細書全体にかけて、同様の参照符号は同様の構成要素を指すものとする。
【００１６】
以下、図１〜図３を参照して本発明のバックライトアセンブリの第１の実施形態による蛍光ランプについて詳細に説明する。
図１は、本発明のバックライトアセンブリの第１の実施形態による蛍光ランプの部分斜視図である。
図２は、図１に示す蛍光ランプをＩＩ−ＩＩ’線に沿って切断した断面図である。
図３は、複数の図１の蛍光ランプの端部がランプソケットに接続されている斜視図である。
【００１７】
本発明のバックライトアセンブリの第１の実施形態による蛍光ランプ１００は、ランプチューブ１１０、蛍光層１７０、第１電極１２０、リードワイヤー１２５、第２電極１３０、キャパシタ１４０、及び導電端子１６０を含む。
ここで、蛍光ランプ１００とは、電源から駆動電圧の提供を受けて光を発光するランプをいい、冷陰極蛍光ランプ（Ｃｏｌｄ  Ｃａｔｈｏｄｅ  Ｆｌｕｏｒｅｓｃｅｎｔ  Ｌａｍｐ：ＣＣＦＬ）、熱陰極蛍光ランプ（Ｈｏｔ  Ｃａｔｈｏｄｅ  Ｆｌｕｏｒｅｓｃｅｎｔ  Ｌａｍｐ：ＨＣＦＬ）、外部電極蛍光ランプ（Ｅｘｔｅｒｎａｌ  Ｅｌｅｃｔｒｏｄｅ  Ｆｌｕｏｒｅｓｃｅｎｔ  Ｌａｍｐ：ＥＥＦＬ）のうち何れか１つであり得る。説明の便宜上、本明細書では冷陰極蛍光ランプを例にあげて説明するが、本明細において説明する構造は様々な蛍光ランプに適用することが可能である。
【００１８】
先ず、図１及び図２を参照すると、ランプチューブ１１０は、内部が貫通した中空型管（ｐｉｐｅ）形状で形成される。このようなランプチューブ１１０は内部から発生する光が外に放射されるようにガラスのような透明な材質で形成する。ランプチューブ１１０の内部には蛍光ランプ１００の発光のための放電ガスが注入される。例えば、放電ガスは水銀（Ｈｇ）、ネオン（Ｎｅ）、キセノン（Ｘｅ）、アルゴン（Ａｒ）などのガスを含む。
水銀（Ｈｇ）は放電によって紫外線を発生させる。ネオン（Ｎｅ）、キセノン（Ｘｅ）、及びアルゴン（Ａｒ）は放電によってイオン化されて二次電子を発生させて紫外線発生量を増加させてペニング効果（Ｐｅｎｎｉｎｇ  Ｅｆｆｅｃｔ）によって放電を起こすのに必要な放電電圧のレベルを減少させて消費電力を減少させる。
【００１９】
蛍光層１７０は、ランプチューブ１１０の内面に塗布され、放電ガスによって発生する紫外線によって励起されて可視光を放射する。ランプチューブ１１０内部に存在する放電ガスは第１電極１２０に電圧が印加されればプラズマ放電を起こし、紫外線を放射する。
【００２０】
ランプチューブ１１０の内部には第１電極１２０が挿入される。第１電極１２０はランプチューブ１１０の両端部の内部にそれぞれ位置し、第１電極１２０に電圧が印加されれば放電ガスはプラズマ放電を起こす。このような第１電極１２０はニッケル（Ｎｉ）、モリブデン（Ｍｏ）、ニオブ（Ｎｂ）などの金属で形成することができる。
【００２１】
第１電極１２０の一端部には、リードワイヤー１２５に接続しており、他端部は、ランプチューブ１１０の他端の第１電極と対向するようにランプチューブの中心部に向かって延長される。第１電極１２０として使用される金属は仕事関数値が小さい金属を利用することが好ましい。第１電極１２０として仕事関数値が小さい金属を利用すると、相対的に低い駆動電圧でも放電が可能である。
リードワイヤー１２５は、一端部が第１電極１２０と接続され、他端部は第２電極１３０に接続する。
【００２２】
第２電極１３０は、ランプチューブ１１０の両側端部を取り囲むキャップ（ｃａｐ）形態で形成される。第２電極１３０は、第１電極１２０と電気的に接続され、ランプチューブ１１０と導電性接着剤１１５を用いて結合される。導電性接着剤１１５は、導電性粒子を含む接着剤を意味するものであって、例えば、銀（Ａｇ）の粒子を含むシルバーペースト（Ａｇ  ｐａｓｔｅ）を用いることができる。このような導電性接着剤１１５は、ランプチューブ１１０の両側端部に塗布されてランプチューブ１１０と第２電極１３０との間に介在する。導電性接着剤１１５は、リードワイヤー１２５と第２電極１３０との間を接続して第１電極１２０と第２電極１３０を電気的に接続する。
【００２３】
また、第２電極１３０は、導電端子１６０と容量結合される。たとえば、第２電極１３０と導電端子１６０との間にキャパシタ１４０を介在させる。このとき、第２電極１３０と導電端子１６０はキャパシタ１４０の二つの端子となり得る。
導電端子１６０は、ランプソケット８０に接続されて駆動電圧の印加を受けて第２電極１３０とは容量結合をする。すなわち、ランプチューブ１１０の両側端部に位置する導電端子１６０に駆動電圧が印加されれば、ランプチューブ１１０の内部に位置する第１電極１２０に電圧が発生する。
【００２４】
導電端子１６０は、キャパシタ１４０を媒体として第２電極１３０と互いに対向するように配置され得、蛍光ランプ１００の両側の最端部に位置する。このような導電端子１６０はランプソケット８０に挿入されて蛍光ランプ１００を固定させる役割を同時に果たす。
キャパシタ１４０は、導電端子１６０と第２電極１３０との間に介在して導電端子１６０と第２電極１３０との間を容量結合させる。このようなキャパシタ１４０は、例えば、積層セラミックコンデンサ（Ｍｕｌｔｉ−Ｌａｙｅｒ  Ｃｅｒａｍｉｃ  Ｃａｐａｃｉｔｏｒ：ＭＬＣＣ）を用いることができる。積層セラミックコンデンサは、電極間の誘電体として高誘電率系セラミックを多層構造で使用することにより、小型キャパシタを形成することができる。
【００２５】
導電端子１６０と第２電極１３０との間には絶縁体１５０が形成される。導電端子１６０と第２電極１３０はキャパシタ１４０により容量結合をしなければならないため、導電端子１６０と第２電極１３０が直接接続して連結されることを防止しなければならない。
したがって、絶縁体１５０は導電端子１６０と第２電極１３０を互いに絶縁させる役割を果たす。このような絶縁体１５０は、リング（ｒｉｎｇ）形状で形成されて蛍光ランプ１００を取り囲む形態で形成することができる。例えば、絶縁体１５０は導電端子１６０と第２電極１３０を効果的に絶縁するためにキャパシタ１４０の外側を取り囲むように形成することができる。
【００２６】
このように蛍光ランプ１００の端部にキャパシタ１４０を形成することによって別途の回路基板でバランス回路を構成する必要がなくなる。
バランス回路を構成するためには回路基板上にコイルのような高電磁場を形成する電子部品が実装され、このような電子部品は蛍光ランプに影響を与えるため、各部品と蛍光ランプは適切な間隔を維持しなければならない。このように蛍光ランプと回路基板との間の配置間隔を考慮すると、表示装置の厚さが厚くなり得る。したがって、バランス回路を実装した回路基板を除去することによって表示装置の全体的な厚さを顕著に減らすことができる。
【００２７】
次に、図３を参照すると、蛍光ランプ１００は、ランプソケット８０に挿入されて固定される。ランプソケット８０は、蛍光ランプ１００に駆動電圧を印加し、同時に蛍光ランプ１００を固定する役割を果たす。このようなランプソケット８０は、蛍光ランプ１００の両側の最端部に位置する導電端子１６０を固定する。
【００２８】
ランプソケット８０は、導電端子１６０が挿入される接続端子８１を含む。このような接続端子８１は導電端子１６０を固定させると共に駆動電圧を印加する。
ランプソケット８０には複数の蛍光ランプ１００が並列に接続できるように複数の接続端子８１を含む。ランプソケット８０は接続端子８１と一体で形成することができ、接続端子８１は隣接した接続端子８１と電気的に接続することができる。すなわち、ランプソケット８０に挿入された複数の蛍光ランプ１００は互いに並列接続することができる。
このようなランプソケット８０は、後述するバックライトアセンブリ（図１５の符号１０参照）の下部収納容器（図１５の符号９０参照）に結合することができる。
【００２９】
次に、図４を参照して蛍光ランプの駆動について説明する。
図４は、図１に示す蛍光ランプと電源部の接続関係を説明するための概略回路図である。
【００３０】
蛍光ランプ１００は、両側端部にキャパシタ１４０が直列に接続される。キャパシタ１４０はランプチューブ１１０の両側にそれぞれ一つずつ配置され、キャパシタ１４０は電源（ＩＰ）にそれぞれ接続される。すなわち、蛍光ランプ１００は、キャパシタ１４０により電圧が印加され、印加された電圧を利用してランプチューブ１１０内部の放電ガスを励起させて蛍光ランプ１００を通じて可視光を放射する。
【００３１】
このとき、各蛍光ランプ１００はインバータのような電源（ＩＰ）から直接、駆動電圧の印加を受ける。すなわち、インバータの電源は、別途のバランス回路を通さず、直接蛍光ランプ１００に印加される。このような方式は、構造を簡単にすることができ、全体的に製品のスリム化に非常に有利な構造を形成する。
【００３２】
また、蛍光ランプ１００は隣接した蛍光ランプ１００と互いに並列に接続される。並列に接続された複数の蛍光ランプ１００には同一の電圧が印加され、複数の蛍光ランプ１００の両端にはそれぞれキャパシタ１４０が形成されており、複数の蛍光ランプ１００に印加される電圧の偏差（ｄｅｖｉａｔｉｏｎ）が発生しないようにする。すなわち、各蛍光ランプ１００に形成されたキャパシタ１４０は隣接する蛍光ランプ１００の間の電圧偏差を除去する役割を果たす。
【００３３】
次に、図５〜図７を参照して本発明のバックライトアセンブリの第２の実施形態による蛍光ランプについて詳細に説明する。
図５は、本発明のバックライトアセンブリの第２の実施形態による蛍光ランプの部分斜視図であり、図６は、図５に示す蛍光ランプをＶＩ−ＶＩ’線に沿って切断した断面図であり、図７は、図５に示す蛍光ランプとランプソケットの部分斜視図である。
説明の便宜上、第１の実施形態による蛍光ランプと同一の構成要素については同一の符号を使用し、その説明は省略する。
【００３４】
本発明のバックライトアセンブリの第２の実施形態による蛍光ランプ２００は、ランプチューブ１１０の最端部を取り囲む導電端子２６０を含み、導電端子２６０がランプソケット８０の接続端子（８１＿１）に挿入される。
【００３５】
ランプチューブ１１０の内部には第１電極１２０が挿入されている。第１電極１２０はランプチューブ１１０の両端部の内部にそれぞれ位置し、第１電極１２０に電圧が印加されれば放電ガスはプラズマ放電を起こす。
リードワイヤー１２５は、一端部が第１電極１２０と接続され、他端部は第２電極１３０に接続される。
【００３６】
第２電極１３０は、ランプチューブ１１０の両側端部を取り囲むキャップ（ｃａｐ）形態で形成することができる。第２電極１３０は、第１電極１２０と電気的に接続し、ランプチューブ１１０と導電性接着剤１１５を用いて結合することができる。
また、第２電極１３０は導電端子２６０と容量結合する。例えば、第２電極１３０と導電端子２６０との間にはキャパシタ１４０が介在する。このとき、第２電極１３０と導電端子２６０はキャパシタ１４０の二つの端子になり得る。
【００３７】
導電端子２６０は、ランプソケット８０と接続して駆動電圧の印加を受け、第２電極１３０とは容量結合をする。すなわち、ランプチューブ１１０の両側端部に位置する導電端子２６０に駆動電圧が印加されれば、ランプチューブ１１０の内部に位置する第１電極１２０に電圧が発生する。
【００３８】
導電端子２６０は、キャパシタ１４０を媒体として第２電極１３０と互いに対向するように配置され得、蛍光ランプ２００の両側の最端部に位置する。このような導電端子２６０はランプソケット８０に挿入されて蛍光ランプ２００を固定させる役割を同時に果たす。
導電端子２６０は、蛍光ランプ２００の両側の最端部を取り囲む形態で形成することができる。すなわち、導電端子２６０はその内部にキャパシタ１４０、第２電極１３０、ランプチューブ１１０をすべてキャップ（ｃａｐ）形態で取り囲むように形成することができる。
【００３９】
このような導電端子２６０と第２電極１３０との間には絶縁体２５０が介在する。すなわち、導電端子２６０は、キャップ（ｃａｐ）形態で形成されて内部にキャパシタ１４０を含み、第２電極１３０と一部が重畳され得るため、第２電極１３０と導電端子２６０を絶縁させるための絶縁体２５０を含み得る。
【００４０】
このような絶縁体２５０は、キャパシタ１４０と第２電極１３０を取り囲むリング（ｒｉｎｇ）形態で形成することができ、絶縁体２５０の外部には導電端子２６０が取り囲むように形成することができる。
【００４１】
導電端子２６０がキャパシタ１４０及び第２電極１３０の一部を取り囲むキャッピング（ｃａｐｐｉｎｇ）する形態で形成されることによって、蛍光ランプ２００の全体的な長さを減少させることができる。
また、導電端子２６０と第２電極１３０が絶縁体２５０を介して重複することによって、導電端子２６０と第２電極１３０はキャパシタ１４０に追加的なキャパシタを並列に接続する効果を得ることができる。
【００４２】
次に、図８〜図１０を参照して本発明のバックライトアセンブリの第３の実施形態による蛍光ランプについて詳細に説明する。
図８は、本発明のバックライトアセンブリの第３の実施形態による蛍光ランプとランプソケットの部分斜視図であり、図９は、図８に示す蛍光ランプとランプソケットをＩＸ−ＩＸ’線に沿って切断した断面図であり、図１０は、図８に示す蛍光ランプとランプソケットをＸ−Ｘ’線に沿って切断した断面図である。
説明の便宜上、前記第１実施形態による蛍光ランプと同一の構成要素に対しては同一の符号を使用し、その説明は省略する。
【００４３】
本発明のバックライトアセンブリの第３の実施形態による蛍光ランプ３００は、第２電極１３０の外側に絶縁体３５０が取り囲んでおり、絶縁体３５０はランプソケット８０の接続端子（８１＿２）に挿入されて、第２電極１３０と接続端子（８１＿２）はキャパシタ１４０を形成する。
【００４４】
ランプチューブ１１０の内部には第１電極１２０が挿入される。第１電極１２０はランプチューブ１１０の両端部の内部にそれぞれ位置し、第１電極１２０に電圧が印加されれば放電ガスはプラズマ放電を起こす。
リードワイヤー１２５は、一端部が第１電極１２０と接続され、他端部は第２電極１３０に接続する。
【００４５】
第２電極１３０は、ランプチューブ１１０の両側端部を取り囲むキャップ（ｃａｐ）形態で形成することができる。第２電極１３０は第１電極１２０と電気的に接続し、ランプチューブ１１０と導電性接着剤１１５を用いて結合することができる。
【００４６】
第２電極１３０の外側には絶縁体３５０が形成される。絶縁体３５０は、第２電極１３０を取り囲む形態になっており、ランプソケット８０に挿入時の衝撃を和らげる役割を同時に果たす。このような絶縁体３５０は、柔軟（ｆｌｅｘｉｂｌｅ）な材質で形成することができ、蛍光ランプ３００をランプソケット８０に挿入するための工程で蛍光ランプ３００の破損を最小化することができる。
【００４７】
このような絶縁体３５０は、第２電極１３０を囲む円筒形態で形成され、円筒の長さ及び厚さは必要なキャパシタの容量を考慮して調節することができる。
蛍光ランプ３００の両端部に形成された絶縁体３５０はランプソケット８０の接続端子（８１＿２）に挿入される。このとき、接続端子（８１＿２）は絶縁体３５０を介して第２電極１３０と対向する。すなわち、接続端子（８１＿２）と第２電極１３０は互いに容量結合をする。
【００４８】
このように、接続端子（８１＿２）が第２電極１３０と容量結合をすることによって、実質的に蛍光ランプ３００の両端に直列に接続されたキャパシタを含む効果が発生する。
上述したように、接続端子（８１＿２）と第２電極１３０との間に形成されたキャパシタの容量は接続端子（８１＿２）及び第２電極１３０の重畳される広さと絶縁体３５０の誘電率及び厚さなどを考慮して調節することができる。
【００４９】
次に、図１１〜図１４を参照して本発明のバックライトアセンブリの第４の実施形態による蛍光ランプについて詳細に説明する。
図１１は、本発明のバックライトアセンブリの第４の実施形態による蛍光ランプとランプソケットの部分斜視図であり、図１２は、図１１に示す蛍光ランプをＸＩＩ−ＸＩＩ’線に沿って切断した断面図であり、図１３は、図１１に示す蛍光ランプに含まれる印刷回路基板の平面図であり、図１４は、図１１に示す蛍光ランプと整列板の部分斜視図である。
説明の便宜上、前記第１実施形態による蛍光ランプと同一の構成要素に対しては同一の符号を使用し、その説明は省略する。
【００５０】
本実施形態を説明するにあたって、第２電極と称する構成要素は、実質的に導電端子を意味し得る。したがって、特許請求の範囲の解釈において、導電端子と記述された部分は必要によっては第２電極と解釈することができる。
【００５１】
本発明のバックライトアセンブリの第４の実施形態による蛍光ランプ４００は、第１電極１２０がキャパシタ４４０が実装された印刷回路基板４８０を経由して第２電極１３０と接続される。
【００５２】
ランプチューブ１１０の内部には第１電極１２０が挿入される。第１電極１２０はランプチューブ１１０の両端部の内部にそれぞれ位置し、第１電極１２０に電圧が印加されれば放電ガスはプラズマ放電を起こす。
リードワイヤー１２５は、一端部が第１電極１２０と接続され、他端部は印刷回路基板４８０に接続する。
【００５３】
第２電極１３０は、ランプチューブ１１０の両側端部を取り囲むキャップ（ｃａｐ）形態で形成することができる。第２電極１３０とランプチューブ１１０を接着剤４１５を用いて結合することができる。
ここで接着剤４１５は、第１電極１２０と接続されたリードワイヤー１２５と第２電極１３０が直接接続しないように絶縁性接着剤であり得る。ただし、接着剤４１５として、導電性接着剤を使用することもでき、このような場合には第２電極１３０とリードワイヤー１２５が互いに接続しないように接着剤４１５の塗布領域を調節することができる。
【００５４】
第１電極１２０と接続されてランプチューブ１１０の外部に延長されたリードワイヤー１２５は第２電極１３０と接続しないように第２電極１３０を貫通して外部に導出される。このようなリードワイヤー１２５は印刷回路基板４８０に挿入されて第１配線４８１と接続される。ここで、第１配線４８１は印刷回路基板４８０にプリントされた配線であり得、キャパシタ４４０の一端子と接続される。
【００５５】
印刷回路基板４８０にはキャパシタ４４０が実装される。キャパシタ４４０は小型構造であって大容量の積層セラミックコンデンサ（ＭＬＣＣ）が使用され得る。キャパシタ４４０の一端子は第１配線４８１と接続し、他端子は第２配線４８２と接続される。ここで、第２配線４８２は印刷回路基板４８０にプリントされた配線であって、キャパシタ４４０と接続電極４８３との間を接続する。
【００５６】
接続電極４８３は、印刷回路基板４８０を貫通して第２配線４８２と第２電極１３０を電気的に接続する役割を果たす。このような接続電極４８３は充分な剛性を有するように形成して印刷回路基板４８０と第２電極１３０との間に構造的な結合ができるようにすることができる。すなわち、接続電極４８３はリードワイヤー１２５と共に印刷回路基板４８０と第２電極１３０が互いに充分な剛性を有して機械的な結合ができるようにすることができる。
【００５７】
また、第２電極１３０はランプソケット（図示せず）と接続して駆動電圧の印加を受けることができる。具体的に説明すると、第２電極１３０は、ランプソケット（図示せず）に接続して駆動電圧の印加を受ければ、第２電極１３０は印刷回路基板４８０に実装されたキャパシタ４４０により第１電極１２０と容量結合をする。したがって、蛍光ランプ４００はランプソケット（図示せず）と第１電極１２０との間にキャパシタ４４０を直列に接続するようになって、蛍光ランプ４００は隣接する他の蛍光ランプと印加される電圧の偏差がなくなる。
【００５８】
図１４を参照すると、各蛍光ランプ４００は整列板９５に整列させて収納容器（図示せず）に固定することができる。このような整列板９５は印刷回路基板４８０が固定される固定部９６を含む。固定部９６はその内側に溝を含んでおり印刷回路基板４８０が挿入されるようにする。このような固定部９６は整列板９５と一体で形成され、絶縁体で形成され得る。
【００５９】
印刷回路基板４８０は、固定部９６に縦方向に挿入されることによって、別途の回路部品が下部収納容器（図１６の符号９０参照）の外側に、はみ出すことがないため、表示装置（図１６の１参照）の全体的な厚さを減らすことができる。
【００６０】
また、印刷回路基板４８０は、各蛍光ランプ４００の両端にそれぞれ形成することができるが、一つの印刷回路基板にすべての蛍光ランプの一側端子を同時に接続できる構造に変形することもできる。
また、整列板９５は接続端子（８１＿１）を含む。接続端子（８１＿１）は整列板９５と一体で形成されるか、互いに絶縁するように形成することができる。
【００６１】
次に、図１５を参照して本発明のバックライトアセンブリの第５の実施形態による蛍光ランプについて詳細に説明する。
図１５は、本発明のバックライトアセンブリの第５の実施形態による蛍光ランプの断面図である。
説明の便宜上、第４の実施形態による蛍光ランプと同一の構成要素に対しては同一の符号を使用し、その説明は省略する。
【００６２】
本実施形態を説明するにあたって、第２電極と称する構成要素は、実質的に導電端子を意味し得る。したがって、特許請求の範囲の解釈において、導電端子と記述された部分は必要によっては第２電極と解釈することができる。
【００６３】
本発明のバックライトアセンブリの第５の実施形態による蛍光ランプ５００は、第１電極１２０がキャパシタ５４０が実装されたハウジング５８０を経由して第２電極１３０と接続される。
【００６４】
ランプチューブ１１０の内部には第１電極１２０が挿入される。第１電極１２０はランプチューブ１１０の両端部の内部にそれぞれ位置し、第１電極１２０に電圧が印加されれば放電ガスはプラズマ放電を起こす。
リードワイヤー１２５は、一端部が第１電極１２０と接続され、他端部はハウジング５８０に接続する。
【００６５】
第２電極１３０は、ランプチューブ１１０の両側端部を取り囲むキャップ（ｃａｐ）形態で形成することができる。第２電極１３０とランプチューブ１１０を接着剤４１５を用いて結合することができる。
ここで接着剤４１５は、第１電極１２０と接続されたリードワイヤー１２５と第２電極１３０が直接接続しないように絶縁性接着剤であり得る。ただし、接着剤４１５として、導電性接着剤を使用することもでき、このような場合には第２電極１３０とリードワイヤー１２５が互いに接続しないように接着剤４１５の塗布領域を調節することができる。
【００６６】
第１電極１２０と接続されてランプチューブ１１０の外部に延長されたリードワイヤー１２５は第２電極１３０と接続しないように第２電極１３０を貫通して外部に導出される。このようなリードワイヤー１２５は、ハウジング５８０に電気的に接続しないように絶縁体５８３で絶縁され得る。リードワイヤー１２５は第１配線５８１によってキャパシタ５４０の一端子と接続される。
【００６７】
ハウジング５８０の内部にはキャパシタ５４０が実装される。キャパシタ５４０はハウジング５８０と絶縁させるために絶縁性接着剤によってハウジング５８０の内部に接着され得る。キャパシタ５４０の一端子は、第１配線５８１と接続し、他端子は第２配線５８２と接続する。第２配線５８２は、キャパシタ５４０の他端子とハウジング５８０を互いに電気的に接続する。
【００６８】
ハウジング５８０は、導電体で形成することができ、第２電極１３０の最端部をキャッピング（ｃａｐｐｉｎｇ）することができる。ハウジング５８０は内側に第２電極１３０と接触する拡張部５８５を含み得る。拡張部５８５は、ハウジング５８０と第２電極１３０の接触面積を増加させて、ハウジング５８０と第２電極１３０との間に安定した機械的結合が可能なようにするだけでなく、ハウジング５８０と第２電極１３０を電気的に結合する役割を同時に果たす。
【００６９】
第２電極１３０は、ランプソケット（図示せず）に接続されて駆動電圧の印加の受ける。すなわち、第２電極１３０は、ランプソケット（図示せず）に接続されて駆動電圧の印加を受けると、第２電極１３０は、ハウジング５８０の内部に実装されたキャパシタ５４０により第１電極１２０と容量結合をする。したがって、蛍光ランプ５００はランプソケット（図示せず）と第１電極１２０との間にキャパシタ５４０を直列に接続するようになって、蛍光ランプ５００は隣接した他の蛍光ランプと印加される電圧の偏差がなくなる。
【００７０】
また、第２電極１３０は、必要によって除去することもできる。ハウジング５８０が導電性物質で形成されることによって、ハウジング５８０をランプチューブ１１０を直接取り囲む形態で結合させることができる。このとき、ランプソケット（図示せず）は、ハウジング５８０の外側と結合してハウジング５８０により駆動電圧を印加することができる。このような方式で蛍光ランプ５００はキャパシタ５４０が直列に接続された構造を得ることができる。
【００７１】
次に、図１６を参照して本発明による蛍光ランプを含むバックライトアセンブリを有する表示装置について詳細に説明する。
図１６は、本発明の一実施形態による表示装置の分解斜視図である。
【００７２】
本発明の一実施形態による表示装置１は、表示パネルアセンブリ、上部収納容器２０、及びバックライトアセンブリ１０を含む。
表示パネルアセンブリは、下部表示板３１、上部表示板３２、及び２つの表示板の間に介在する液晶層（図示せず）を含む表示パネル３０、ゲート駆動ＩＣ３３、データ駆動ＩＣ３４、及び統合印刷回路基板３５を含む。
【００７３】
表示パネル３０は、ゲートライン（図示せず）及びデータライン（図示せず）と薄膜トランジスタアレイ、画素電極などを含む下部表示板３１、ブラックマトリックス（ｂｌａｃｋ  ｍａｔｒｉｘ）、共通電極などを含み、下部表示板３１に対向するように配置された上部表示板３２を含む。このような表示パネル３０は、画像情報を表示する役割を果たす。
【００７４】
上部収納容器２０は、表示装置１の外観を形成し、内部に表示パネルアセンブリを収納する空間が形成されている。このような上部収納容器２０の中央部には表示パネル３０を外部に露出させる開放窓が形成されている。
上部収納容器２０は、下部収納容器９０と結合する。また、上部収納容器２０と下部収納容器９０との間には光学シート５０、拡散板６０及び蛍光ランプ１００を収納し、下部収納容器９０に安着される中間フレーム４０を含み得る。
【００７５】
バックライトアセンブリ１０は、表示パネル３０の下部に位置して表示パネル３０に光を提供する。このようなバックライトアセンブリ１０は、複数の蛍光ランプ１００、複数のランプソケット８０、光学シート５０、拡散板６０、反射シート７０、及び下部収納容器９０を含む。
【００７６】
蛍光ランプ１００は、均一な間隔で離隔され同相で並列に接続され、直下型で構成することができる。均一な輝度を得るために蛍光ランプ１００は下部収納容器９０の長辺に平行であるように配列され得る。
【００７７】
光学シート５０は、拡散板６０の上部に配置され、蛍光ランプ１００から伝達される光を拡散及び集光する役割を果たす。光学シート５０は、拡散シート（ｄｉｆｆｕｓｉｏｎ  ｓｈｅｅｔ）、第１プリズムシート、第２プリズムシートなどを含み得る。反射シート７０は、蛍光ランプ１００の下部に配置され蛍光ランプ１００の下部から放射される光を上部に反射させる。このような反射シート７０は、蛍光ランプ１００から出射した光の損失を最小化するために反射度が高い物質で構成される。
【００７８】
各蛍光ランプ１００は、両端がランプソケット８０に挿入されて下部収納容器９０に固定される。ランプソケット８０は、各蛍光ランプ６０の両端に一つずつ配置され得る。各ランプソケット８０は、各々下部収納容器９０に固定することができる。
【００７９】
尚、本発明は、上述の実施形態に限られるものではない。本発明の技術的範囲から逸脱しない範囲内で多様に変更実施することが可能である。
【産業上の利用可能性】
【００８０】
本発明のバックライトアセンブリ及び表示装置は、各種ディスプレイ分野、医療分野、ゲーム産業分野など広範囲な分野での表示装置に好適に利用されうる。
【符号の説明】
【００８１】
１      表示装置
１０    バックライトアセンブリ
３０    表示パネル
４０    中間フレーム
５０    光学シート
６０    拡散板
７０    反射シート
８０    ランプソケット
８１＿１、８１＿２    接続端子
９０    下部収納容器
９５    整列板
９６    固定部
１００、２００、３００、４００、５００    蛍光ランプ
１１０    ランプチューブ
１１５    導電性接着剤
１２０    第１電極
１２５    リードワイヤー
１３０    第２電極
１４０、４４０、５４０    キャパシタ
１５０、２５０、３５０    絶縁体
１６０、２６０    導電端子
１７０    蛍光層
４１５    接着剤
４８０    印刷回路基板
４８３    接続電極
５８０    ハウジング
５８３    絶縁体
５８５    拡張部
【図１】
2010062148.tif 000003
【図２】
2010062148.tif 000004
【図３】
2010062148.tif 000005
【図４】
2010062148.tif 000006
【図５】
2010062148.tif 000007
【図６】
2010062148.tif 000008
【図７】
2010062148.tif 000009
【図８】
2010062148.tif 000010
【図９】
2010062148.tif 000011
【図１０】
2010062148.tif 000012
【図１１】
2010062148.tif 000013
【図１２】
2010062148.tif 000014
【図１３】
2010062148.tif 000015
【図１４】
2010062148.tif 000016
【図１５】
2010062148.tif 000017
【図１６】
2010062148.tif 000018